Podtech/llm-jp-corpus-v4-ja_patent huggingface dataset:
(57)【要約】      （修正有）【課題】ティッシュ取出口のフィルムを不要とするフィルムレスティッシュボックスを提供する。【解決手段】ティッシュボックスのティッシュ取出口を、箱の長さの１／２〜１／３の長さの長手方向中央の切込と、その両端に左右に７０〜１２０°開いた切込と、その先端の半円の切込とで構成することで、取出口に適度な弾力を与え、ティッシュペーパーが箱の中に落ち込むのを防ぐと同時に、ボックス内に異物が入るのを防ぐ。先端の半円は、切込が必要以上に裂けるのを防ぎ、適度な弾力を維持させる。中央の切込と、その両端の開いた切込で構成するふたが大きいので、１枚目のティッシュが取出し易く、中央の切込と、その両端の開いた切込により、ティッシュが折り曲げられるため、ティッシュが倒れ難い。【選択図】図１
0003203921.tif 000002
【実用新案登録請求の範囲】
【請求項１】
取出口を切込の組合せで作ることで、フィルムを不要とし、ティシュペーパーが箱の中に落ち込むのを防ぐと同時に、ボックス内に異物が入るのを防ぎ、１枚目のティシュが取出し易く、ティシュが倒れ難い、ボックスティシュのティシュ取出口の形状。
【考案の詳細な説明】
【技術分野】
【０００１】
本考案は、ボックスティシュのティシュ取出口に関するものである。
【背景技術】
【０００２】
通常のボックスティシュの取出口には、ティシュペーパーが箱の中に落ち込むのを防ぐと同時に、ボックス内に異物が入るのを防ぐため フィルムが貼られている。このフィルムは、自治体によってはゴミ収集の際に本体から剥がす必要 がある。この手間を省くため、いくつかの製品が、フィルムレスの取出口形状で市場に供給されている。
【０００３】
しかしながら、これらのものは、１枚目のティシュが取出し難くく、ティシュが倒れやすいものや、紙箱の一部を取り除く形になっているためボックス内に異物が入りやすいものとなっている。  
【０００４】
また、ある製品は、紙箱の一部を取り除くためのミシン目を、ティシュが箱の中に落ち込むのを防ぐための抵抗に使っており、ティシュを取出す時に、ティシュが引っ掛かり破れることがある。
【０００５】
この改善策として、１枚目のティシュから取出し易く、取出し部の開口が少なく、滑らかにティシュを取出すことができ、取出した後、次のティッシュが立つ、フィルムレスボックスを考案した。従来のフィルムレスボックスは、異物混入を防止するため、割れ目を小さくしたものは、１枚目のティシュが極めて取出しにくかったが、ボックスの切れ込みを長くすることで、この問題を解決した。紙箱の一部を取り除く形で開口部を設けるものは、取出し易く、取出した後、次のティシュが立つが、本考案は、紙箱の一部を取除くことによるゴミの発生がなく、切れ込みの長さと、形状を工夫することでスムーズに取出し、次のティシュを立たせることが可能となった。
【先行技術文献】
【特許文献】
【０００６】
【特許文献１】特開２００７−２６７９８７号公報
【特許文献２】特開２００８−１３７６８６号公報
【特許文献３】特開２０１１−２４０９８１号公報
【考案の概要】
【考案が解決しようとする課題】
【０００７】
解決しようとする問題点は、ボックスティシュにおいて、取出口にフィルムが必要となる点である。
【課題を解決するための手段】
【０００８】
本考案は、紙箱の上面に適度な切込を入れることで、ティシュに適当な摩擦力を与え、ティシュが箱の中に落ち込むのを防ぎ、切込の両端をそれぞれ2股に分けることで、ティシュを立たせることができるようにした。
【考案の効果】
【０００９】
本考案の取出口形状は、ティシュを１枚目からスムーズに取出すことができ、次のティシュが箱の中に落ち込むのを防ぐと同時に立たせることができ、開口部が最小のため異物が入ることがなく、フィルムを分別廃棄する必要のないものである。
さらに、本取出口形状は、ティシュだけでなく、ペーパータオル等にも利用できる。
【図面の簡単な説明】
【００１０】
【図１】取出口の実施方法を示した斜視図である。
【図２】取出口の実施例である。
【図３】展開図の例である。
【考案を実施するための形態】
【００１１】
中央部長手方向に、箱の長さの１／２〜１／３の切込を設ける。この長さは、箱に使われている紙の強さ・滑りやすさに依るが、１／３程度が望ましい。その切込の両端に、左右に７０°〜１２０°に開いた切込を設ける。その角度は、箱の紙の強さ・滑りやすさに依るが、９０°程度が望ましい。その長さは、箱の長辺に届く手前１０ｍｍ〜２０ｍｍまでとし、箱の紙の強さ・滑りやすさに依るが、１５ｍｍ程度が望ましい。その先端は半径５ｍｍ〜１０ｍｍの半円で長手方向中心線向きに向けることが望ましい。それぞれの切込は、中央の切込と開いた切込の交点から５ｍｍ程度離れたところを２ｍｍ程度繋ぐことで、箱の形状を確保し、その部分を押し切るだけでティシュが取り出せるようになる。
【００１２】
中央の切込1と両端の切込２で形成される、大きなフラップを軽く持ち上げることで、ティシュの１枚目は、容易に取り出せる。このフラップの両端の弾力で、次のティシュが箱の中に落ち込むのを防ぐ。
【００１３】
ティシュは、中央の切込１と両端の小さい切込２にまたがって出てくるため、ティシュの左右が折れ曲がり、ティシュを立たせることができる。ティシュは、上下に折りたたまれ交互に出てくるが、左右の小さいフラップの下をティシュがくぐり、ティシュは立ち続ける。
【００１４】
ボックスティシュの箱は、通常、下部に長手方向の糊代があるが、本考案では、上面中央長手方向に切込があるので、糊代部を上面中心長手方向とし、中央部は糊代を設けず、付き合わせの切込とし、両端部のみを糊代とすることで接着剤と紙が削減できる。
【００１５】
両端木口部は、通常、上下重ね貼りとなっているが、上下の付き合わせとし、左右の耳部を糊代とすることで、隅部の強度を上げながら、重ね部の紙を削減し、使用後の空箱の折りたたみを容易にすることができる。
【符号の説明】
【００１６】
１    中央の切込
２    両端の切込
３    先端の半円
４    糊代を上面中央とした場合の重ね線
５    糊代を上面中央とした場合の隠れ線
【図１】
0003203921.tif 000003
【図３】
0003203921.tif 000004
【図２】
0003203921.tif 000005
【手続補正書】
【提出日】平成28年2月20日(2016.2.20)
【手続補正１】
【補正対象書類名】実用新案登録請求の範囲
【補正対象項目名】全文
【補正方法】変更
【補正の内容】
【実用新案登録請求の範囲】
【請求項１】
中央部長手方向に、箱の長さの１／２〜１／３の長さで設けられた中央の切込と、その切込の両端に、左右に７０°〜１２０°に開いた切込の組合せで作られるティシュ取出口を特徴とするフィルムレスボックス
(57)【要約】      （修正有）【課題】とんぼとしての存在感を示すビーズ目玉になるとともに、より自然な形状に支持されるバランスとんぼを提供する。【解決手段】バランスとんぼの目玉はとんぼとしての存在感を示すビーズ玉に釘またはピンを通して胴体先端部に固定する。支持部として１案はとんぼの胴体前方に、竹の節にある仕切り膜を利用して尖らせ支持部とする。２案はとんぼの胴体前方下部に円錐形の窪みを設け、より鋭角な円錐先端を持つ固定側支持部で支持する。この場合は１案のように竹の節部にこだわる必要がなく、木他の材料も可能になる。また支持部がより上方になるため、より安定する。【選択図】図４
0003203922.tif 000002
【実用新案登録請求の範囲】
【請求項１】
胴体部の最前方にビーズ製目玉を使い、前方の一点支持部でバランスを保持するとんぼ玩具において、該一点支持部として竹の節の仕切り膜を利用する。
【請求項２】
胴体部の最前方にビーズ製目玉を使い、前方の一点支持部でバランスを保持するとんぼ玩具において、胴体前方下部に円錐形の窪みを設け、該円錐形窪みに、より鋭角な円錐先端を持つ固定支持部を組み合わせる。
【考案の詳細な説明】
【技術分野】
【０００１】  本考案はバランスとんぼ玩具に関するものである。
【背景技術】
【０００２】  バランスとんぼはもともとベトナムの民族玩具であったものである。日本では平成８年８月２７日出願の「水平に止まれるとんぼ玩具」として登録実用新案公報になっている。しかし出願から既に１９年以上が経っているため、実用新案としては公知となっている。なおベトナムの民族玩具においても水平に止まれるとんぼ玩具においても、とんぼとしての存在感を示すビーズ目玉は使われていない。支持部としては頭部先端部折り曲げ又は別体装着により、頭部下先端部を突起状にして支持部にしている。また目玉は必要な場合は描くか又は貼るのが一般的であった。しかし支持部が鳥のくちばしの様に見え、とんぼとしては不自然な感じであった。
【先行技術文献】
【０００３】
【特許文献】
【特許文献】  登録実用新案公報  第３０３５１５６号公報  平成８年８月出願、平成８年１２月登録の本公報は、出願から既に１９年以上が経っており、実用新案としては公知になっている。
【考案の概要】
【考案が解決しようとする課題】
【０００４】  バランスとんぼはとんぼとしての存在感を示すようビーズ目玉にしたい。支持部として頭部先端部では支持部が鳥のくちばしの様に見え、とんぼとしては不自然な感じである。
【課題を解決するための手段】
【０００５】  バランスとんぼの目玉はとんぼとしての存在感を示すようビーズ球を使ったビーズ目玉を付ける。固定法はビーズ球の通し穴を利用して釘またはピンを通し、とんぼの胴体先端部に固定する。支持部して１案はとんぼの胴体前方に、竹の節にある仕切り膜を利用して尖らせ支持部とする。【０００６】  支持部して２案はとんぼの胴体前方下部に円錐形の窪みを設け、より鋭角な円錐先端を持つ固定側支持部で支持するものである。この場合は１案のように竹の節部にこだわる必要がなく、支持部がより上方になるため、より安定する。なお羽根部は比較的厚くして前方に下げ、バランスをとることは従前と同様である。特に２案では材質を竹に限ることなく木他の材料も可能である。
【考案の効果】
【０００７】  本考案によりバランスとんぼの目玉はとんぼとしての存在感を示すビーズ目玉となり、支持部は頭部先端部ではなく胴体前方下部になるため、より自然な形状になる。特に２案では製作しやすく、支持部が上方になるため、より安定する。
【図面の簡単な説明】
【０００８】
【図１】  １案のバランスとんぼの側面図である。
【図２】  １案のバランスとんぼの斜視図である。
【図３】  ２案のバランスとんぼの側面図である。
【図４】  ２案のバランスとんぼの斜視図である。
【考案を実施するための形態】
【０００９】  図１は１案のバランスとんぼの側面図である。図において１はビーズ目玉、２はビーズ目玉に通して胴体部３に固定する釘またはピンを示す。４は竹の節にある仕切り膜を利用して尖らせた支持部である。５は羽根で比較的厚くして前方に下げ、バランスをとることを目的としている。
【００１０】  図２は１案のバランスとんぼの斜視図である。図において６は１案用固定側支持部で、上端は平坦かまたは軽く窪んだ形状になっている。
【００１１】  図３は２案のバランスとんぼの断面図である。図において７はとんぼの胴体前方下部に設けた円錐形の窪みである。
【００１２】  図４は２案のバランスとんぼの斜視図である。図において８は２案用の固定側支持部を示し、とんぼの胴体前方下部に設けた円錐形の窪みより、より鋭角な円錐先端９を持つ２案用の固定側支持部を示している。
【符号の説明】
【００１３】    １    ビーズ目玉
２    釘またはピン
３    胴体部
４    竹の節にある仕切り膜を利用して尖らせた支持部
５    羽根
６    １案用固定側支持部
７    とんぼの胴体前方下部に設けた円錐形の窪み
８    ２案用の固定側支持部
９    円錐形の窪みよりより鋭角な円錐先端
【図１】
0003203922.tif 000003
【図２】
0003203922.tif 000004
【図３】
0003203922.tif 000005
【図４】
0003203922.tif 000006
【手続補正書】
【提出日】平成28年1月15日(2016.1.15)
【手続補正１】
【補正対象書類名】実用新案登録請求の範囲
【補正対象項目名】全文
【補正方法】変更
【補正の内容】
【実用新案登録請求の範囲】
【請求項１】
胴体部の最前方にビーズ製目玉を使い、前方の一点支持部でバランスを保持するとんぼ玩具において、該一点支持部として竹の節の仕切り膜を利用するビーズ目玉を持つバランスとんぼ。
【請求項２】
胴体部の最前方にビーズ製目玉を使い、前方の一点支持部でバランスを保持するとんぼ玩具において、胴体前方下部に円錐形の窪みを設け、該円錐形窪みに、より鋭角な円錐先端を持つ固定支持部を組み合わせたビーズ目玉を持つバランスとんぼ。
(57)【要約】      （修正有）【課題】ソーラーシェアリング（支柱を立てて営農を継続する太陽光発電設備）に使用する架台において単管を偏心交叉させる仮設パイプ構造から脱却して、優美で素材強度を有効に活用して、剛性を上げるとともに、組立性を低下させない単管接合部材を提供する。【解決手段】地面に対して垂直に立つ垂直面上に中心線を持つ、梁や柱を形成する構造部材を、向かい合わせた結合部材３を向かい合わせて挟持することによって連結固定し、前記垂直面に直交する第２の地面に垂直立つ面に属する構造部材を結合部材３に設けた穴に挿入し、固定用のネジ１１によって固定する。【選択図】図４
0003203968.tif 000002
【実用新案登録請求の範囲】
【請求項１】
地面に対して垂直に立つ垂直面上に中心線を持つ、梁や柱を形成する数方向の管構造部材を両側から挟持して固定するための継ぎ手部材において、前記構造部材の外周に一致した溝形を、構造部材の設置方向に適合させて前記継ぎ手部材の中に形成し、前記方向を異にする2つの構造部材が形成する角度の概略2等分線上に、挟持力をほぼ均等に発揮するための締結ネジ部材用の穴を配置したことを特徴にする２分割形の構造用管継ぎ手部材。
【考案の詳細な説明】
【技術分野】
【０００１】
本考案は、太陽光発電に用いる単管用のジョイントに関するものである。
【背景技術】
【０００２】
農作における剰余の太陽光を用いて太陽光発電を行うソーラーシェアリング（支柱を立てて営農を継続する太陽光発電設備）の考え方は農水省が優良農地においてその実施指針を決めたことによって、多くの農地で実施されるに至った。  その基本的な構造は、市販されている仮設足場用の単管と仮設用のクランプ類を用いて仮設部材の構造体として設置されているのが現状である。
【０００３】
しかし、前記仮設用の構造は、あらゆる条件でも柱は垂直に、梁は水平に出来るようパイプの軸芯は一致させずに交叉させることで成り立ち、柔軟性を最優先されたものであるがため、欠点として優美さに欠けることと、単管の中心軸が交叉するので材料本来の強度が得にくく強度上効率的な構造物にならない問題がある。
【先行技術文献】
【非特許文献】
【０００４】
【非特許文献１】大友哲著  「単管パイプによる太陽光発電所」誠文堂新光社  ２０１４年
【考案の概要】
【考案が解決しようとする課題】
【０００５】
単管を偏心交叉させる構造から脱却した、優美で剛性が高く、組立しやすい架台を作成できる単管接合部材を提供することである。
【課題を解決するための手段】
【０００６】
本考案は、単管の軸芯を一致させる構造体において図２のように単に単管を差し込む継ぎ手が従来から存在するが、組立しやすくするのは鋼管の外径に対し、継ぎ手に前記鋼管を差し込む部分穴径を１ミリ単位で大きくすることが必要になり、隙間を大きくすることは止めネジで固定するだけの構造であるので止めネジによる固定が効きにくくなり、相反する問題がある。この問題を解決するために、図４のように一平面上に配置された単管を両側から挟持してネジで締め上げ結合できる「継ぎ手部材」をもって結合することにより組立時は鋼管の差し込み方向など自由度を大きくし、ネジ締結後は固定力を最大限発揮できるようにする手段によって解決出来る。
【考案の効果】
【０００７】
本考案の単管結合部材を使用することによって、組立を困難にすることなく、単管の軸芯を一致させる構造体ができることによって、優美で剛性の高いソーラーシェアリング（支柱を立てて営農を継続する太陽光発電設備）用の架台が提供できる。
【図面の簡単な説明】
【０００８】
【図１】図１は従来の第１方法を示した図面代用写真である。
【図２】図２は従来の第2方法を示した斜視図である
【図３】図３は本案の全体配置を示す斜視図である。
【図４】図４は本案の内側の5方向の柱、梁部材の結合状態を示す斜視図である。
【図５】図５は本案の外前面の４方向の柱、梁部材の結合状態を示す斜視図である。
【図６】図６は本案の外側の４方向の柱、梁部材の結合状態を示す斜視図である。
【図７】図７は本案の角部の３方向の柱、梁部材の結合状態を示す斜視図である。
【図８】図８は第2の実施例を示す斜視図である。
【考案を実施するための形態】
【０００９】
単管パイプの端部の必要長さを図２のように穴に入れてセットスクリューで止めるのでは、剛性を上げるため穴との勘合をきつくすれば組立が困難になり、ゆるくすれば剛性が著しく低下する欠点がある。これを解決するため、図４のように一平面上に配置された単管を両側から挟持してネジで締め上げ結合できる「継ぎ手部材」をもって結合することにより組立時の自由度を得ると共に組立」完成時の締結剛性を上げることによって、単管パイプを接合して形成する簡易で合理的なソーラーシェアリング（支柱を立てて営農を継続する太陽光発電設備）用として剛性が高く、組立しやすく優美な架台構造物になる。
【実施例１】
【００１０】
地面に対して垂直に立つ垂直面上に中心線を持つ、梁や柱を形成する構造部材を、向かい合わせた結合部材３を向かい合わせて挟持することによって連結固定し、前記垂直面に直交する第２の地面に垂直立つ面に属する構造部材を結合部材３に設けた穴に挿入し、固定用のネジ１１によって固定する。
【実施例２】
【００１１】
図９の実施例は中心線が基本平面に直交する第２の垂直面上にある構造部材にスリ割を入れてボルトによってスリ割が狭まるようにボルトで締め上げて前記平面上の構造部材に梁を固定する例である。
【産業上の利用可能性】
【００１２】
太陽光発電は広い面積が必要という最大の欠点を克服するために、太陽光を利用する土地利用において、利用されていない剰余の光を発電に生かすことを目指すソーラーシェアリング（支柱を立てて営農を継続する太陽光発電設備）用の太陽光発電用の架台は簡易で組立しやすく、剛性の高い、美しい架台が求められる。
【符号の説明】
【００１３】
１  従来の仮設用のクランプ
２  管継ぎ手形の継ぎ手
３  5方向の継ぎ手
３’  5方向の継ぎ手で他の実施例
４  ４方向の継ぎ手  
５  別形状の４方向の継ぎ手
６  ３方向の継ぎ手
７  南北方向の梁
８  東西方向の梁
９  柱
１０  セットスクリュー
１１  他の形態のセットスクリュー
２１  スリ割部
【図１】
0003203968.tif 000003
【図２】
0003203968.tif 000004
【図３】
0003203968.tif 000005
【図４】
0003203968.tif 000006
【図５】
0003203968.tif 000007
【図６】
0003203968.tif 000008
【図７】
0003203968.tif 000009
【図８】
0003203968.tif 000010
(57)【要約】【課題】スポーツ器具の内部にキャリアを充填可能であり、スポーツ器具を運搬した後、スポーツ器具の内部に液体を注入することにより、スポーツ器具全体の重量が増加するウェイトトレーニング用スポーツ器具を提供する。【解決手段】ケース層と、収容空間と、注入穴と、を備え、ケース層内に収容空間を有し、注入穴は、ケース層に設けられており、収容空間と連通する収容体と、高吸水性高分子であり、収容空間に収容されるキャリアと、を含む。【選択図】図２
0003204208.tif 000002
【実用新案登録請求の範囲】
【請求項１】
ケース層と、収容空間と、注入穴と、を備え、前記ケース層内に収容空間を有し、前記注入穴は、前記ケース層に設けられており、前記収容空間と連通する収容体と、
高吸水性高分子であり、前記収容空間に収容されるキャリアと、を含むことを特徴とする、
ウェイトトレーニング用スポーツ器具。
【請求項２】
更に、ハンドルを含み、前記ハンドルは、前記収容体の前記ケース層の外面に設けられていることを特徴とする、請求項１に記載のウェイトトレーニング用スポーツ器具。
【考案の詳細な説明】
【技術分野】
【０００１】
本考案は、スポーツ器具に関し、特に、重量を変更可能なウェイトトレーニング用スポーツ器具に関するものである。
【背景技術】
【０００２】
ウェイトトレーニング用スポーツ器具は、暇のときに体を迅速に鍛錬することを可能にするために、開発されたものである。しかし、退勤の時間が晩いと、ジムに行くことができない。このため、ウェイトトレーニング用スポーツ器具を購入して、自宅でウェイトトレーニングを行うことが一般的である。
従来のウェイトトレーニング用スポーツ器具は、一定の重量を有するため、運搬に不便であり、ウェイトトレーニングは、鍛錬の重量を徐々に増加することが必要なため、別の重量を有するウェイトトレーニング用スポーツ器具を持続的に購入することが必要である。
【考案の概要】
【考案が解決しようとする課題】
【０００３】
本考案の主な目的は、スポーツ器具の内部にキャリアを充填することが可能であり、スポーツ器具を運搬した後、スポーツ器具の内部に液体を注入して、液体がキャリアに吸収されると、スポーツ器具全体の重量が増加するウェイトトレーニング用スポーツ器具を提供することにある。
【課題を解決するための手段】
【０００４】
本考案のウェイトトレーニング用スポーツ器具は、ケース層と、収容空間と、注入穴と、を備え、ケース層内に収容空間を有し、注入穴は、ケース層に設けられており、収容空間と連通する収容体と、
高吸水性高分子であり、収容空間に収容されるキャリアと、
を含むことを特徴とする。
【０００５】
本考案のウェイトトレーニング用スポーツ器具は、更に、ハンドルを含み、ハンドルは、収容体のケース層の外面に設けられていることを特徴とする。
【考案の効果】
【０００６】
本考案のウェイトトレーニング用スポーツ器具は、スポーツ器具の内部にキャリアを充填することが可能であり、スポーツ器具を運搬した後、スポーツ器具の内部に液体を注入して、液体がキャリアに吸収されると、スポーツ器具全体の重量が増加するという効果を有する。
【図面の簡単な説明】
【０００７】
【図１】本考案の第１の実施形態に係るウェイトトレーニング用スポーツ器具を示す斜視図である。
【図２】本考案の第１の実施形態に係るウェイトトレーニング用スポーツ器具を示す断面図１である。
【図３】本考案の第１の実施形態に係るウェイトトレーニング用スポーツ器具を示す断面図２である。
【図４】本考案の第２の実施形態に係るウェイトトレーニング用スポーツ器具を示す斜視図である。
【考案を実施するための形態】
【０００８】
以下、本考案の実施の形態を図面に基づいて説明する。
【０００９】
本考案に係るウェイトトレーニング用スポーツ器具は、収容体１０と、キャリア２０と、を含む。
【００１０】
収容体１０は、ケース層１１と、収容空間１２と、注入穴１３と、を有する。本実施形態では、ケース層１１が、中空であり、ボール状を呈し、収容空間１２を有する。注入穴１３は、ケース層１１に設けられており、収容空間１２と連通する。
【００１１】
図２を参照する。本実施形態に係るキャリア２０は、高吸水性高分子であり、注入器Ａにより、注入穴１３を通過して収容空間１２に注入される。
【００１２】
図３を参照する。注入器Ａにより、水が注入穴１３を通過して収容空間１２に注入されると、キャリア２０は、当該水を吸収して膨張し、収容空間１２を充満する。
【００１３】
高吸水性高分子は、自体の重量よりかなり重い液体を吸収して保留可能な材料である。高吸水性高分子は、水分を吸収すると、全体が膨張し、重量が増加し、ゲル状を呈する。
ゲル状を呈する高吸水性高分子は、収容空間１２内に揺れにくいため、ウェイトトレーニング用スポーツ器具を利用するときに、ウェイトトレーニング用スポーツ器具全体が安定する。
【００１４】
収容体１０の内部に充填されるキャリア２０は、購入時に、水が注入されないため、ウェイトトレーニング用スポーツ器具の重量が軽い。このため、ウェイトトレーニング用スポーツ器具の運搬は容易である。
ウェイトトレーニングは、鍛錬の重量を徐々に増加することが必要なため、始めに少量の水を収容体１０に注入すると、より軽いウェイトトレーニング用スポーツ器具で鍛錬を行うことが可能である。より重いウェイトトレーニング用スポーツ器具で鍛錬を行いたい場合には、より多量の水を収容空間１２に注入して、当該水がキャリア２０に吸収されると、ウェイトトレーニング用スポーツ器具の重量が増加する。このため、より重いウェイトトレーニング用スポーツ器具を別に購入する必要がなくなる。
【００１５】
図４を参照する。本考案に係るウェイトトレーニング用スポーツ器具は、更に、ハンドル３０を含む。ハンドル３０は、収容体１０のケース層１１の外面に設けられている。
【００１６】
本考案に係るウェイトトレーニング用スポーツ器具によれば、購入時に、水が注入されないため、重量が軽く、運搬が容易である。そしてウェイトトレーニングは、鍛錬の重量を徐々に増加することが必要なため、始めに少量の水を収容体に注入すると、より軽いウェイトトレーニング用スポーツ器具で鍛錬を行うことが可能である。また、より重いウェイトトレーニング用スポーツ器具で鍛錬を行いたい場合には、より多量の水を収容空間に注入して、当該水がキャリアに吸収されると、ウェイトトレーニング用スポーツ器具の重量が増加するため、より重いウェイトトレーニング用スポーツ器具を別に購入する必要がなくなる。
【００１７】
本考案は、スポーツ器具に適用することができる。
【符号の説明】
【００１８】
１０  収容体
１１  ケース層
１２  収容空間
１３  注入穴
２０  キャリア
３０  ハンドル
Ａ    注入器
【図１】
0003204208.tif 000003
【図２】
0003204208.tif 000004
【図３】
0003204208.tif 000005
【図４】
0003204208.tif 000006
(57)【要約】      （修正有）【課題】災害などの非常時に、簡単に組み立てられ、素早く大量に設置することができ、床からの冷えを防止する段ボール製の組立式ベッドを提供する。【解決手段】ダンボール製の井桁の仕切りを内包するようにダンボールで囲い、天面をダンボールで覆うことで耐荷重を増し、素早く、簡単に組み立てられるようにするとともに左右の天面を中央のスリーブに挿し込むことでベッドのずれを防止し、一体性を保つように工夫した。【選択図】図７
0003204236.tif 000002
【実用新案登録請求の範囲】
【請求項１】
井桁に組んだ中仕切りを内包するダンボール製の組立式ベッド
【考案の詳細な説明】
【考案の詳細な説明】
【技術分野】
【０００１】ダンボール製の組立式ベッドに関する。
【背景技術】
【０００２】災害時などに用いられる非常用ベッドは、体育館などで床にダンボールのシートを敷いて、その上に布団を敷く、あるいは、ダンボールの箱を組んで並べた上に布団を敷いて利用している。
【考案が解決しようとする課題】
【０００３】従来の非常用ベッドは、ダンボールのシートでは、床からの冷えを防ぐことができず、ダンボールの箱では、同じ大きさの箱をそろえるのが困難であり、耐久性にも問題があった。
【０００４】また、ダンボールの箱を組むのに時間がかかり、緊急時に大勢の人のベッドを設置するには、組み立てる者に大変な手間を強いることになり、結果、多くの時間を要してしまうことになっている。
【課題を解決するための手段】
【０００５】ダンボール製の井桁に組んだ仕切りを内包した組立式ベッドを提供する。
【作用】
【０００６】折りたたまれたダンボール製の井桁を広げ、周囲をダンボール製のスリーブで囲み、上部にダンボール製の天面を配することで、簡便に組み立てられるようにした。
【０００７】また、ダンボール製の井桁を内包することで垂直強度を増すように工夫した。
【０００８】さらに三分割からなるベッドにおいて、天面の挿し込みを左右の天面から中央の箱の上部に挿し込むことでベッドのずれを防ぐように工夫している。
【考案の効果】
【０００９】日常時は、小さくたたんで収納しておけ、災害などの非常時においては、大人が一人でも簡単に組み立てられる非常用ベッドは、緊急時に素早く大量に設置することができ、床からの冷えを防止してくれる。
【図面の簡単な説明】
【００１０】
【図１】  井桁に組んだ仕切りをたたんだ状態の図
【図２】  図１のものを広げた状態の図
【図３】  スリーブをたたんだ状態の図
【図４】  図３のスリーブを広げた状態の図
【図５】  図２の井桁に組んだ仕切りに図４の広げたスリーブをかぶせた図
【図６】  図５にて形成したものに補強板を乗せた図
【図７】  図６のものを左右に並べ、間に図５のものを設置し、左右の天板をコの字に折ってかぶせた図
【図８】  図７のｆの箇所を拡大した図
【図９】  中央の部分に補強板と天板を設置した完成図
【図１０】  短い仕切りの図
【図１１】  長い仕切りの図
【図１２】  ４枚の長い仕切りに５枚の短い仕切りを組み合わせる図
【図１３】  ２枚継となるスリーブの展開図
【図１４】  補強板の展開図
【図１５】  天板の展開図
【考案を実施するための形態】
【００１１】  以下、本考案の実施の形態を添付図面に基づき具体的に説明する。
図１は、短い仕切り（図１０）５枚と長い仕切り（図１１）４枚を井桁状に組み、たたんだ状態を示している
【００１２】  図２は、図１を広げた状態を示している。
【００１３】  図３は、２面継のスリーブをたたんだ状態を示している。
【００１４】  図４は、図３のスリーブを広げた状態を示している。
【００１５】  図５は、図２の仕切りに図４のスリーブをかぶせた状態を示している。
【００１６】  図６は、図５のものの上部に補強板を乗せた状態を示している。
【００１７】  図７は、図６のものを左右に並べ、中央に図５のものを配置し、左右の上部にコの字に折った天板を組み込んだ状態を示している。
【００１８】  図８は、図７にて破線で囲ったｆの部分を拡大したもので、コの字に折った左右の天板の挿し込みを中央の箱に挿し込むことを示している図である。
【００１９】  図９は、図８のものの中央部に補強板と天板を乗せた図である。
【００２０】  図１０は、短い仕切りの展開図である。
【００２１】  図１１は、長い仕切りの展開図である。
【００２２】  図１２は、長い仕切りに短い仕切りを組み込み、井桁を形成する図である。
【００２３】  図１３は、二枚継となるスリーブの展開図であり、のりしろｃをｄに貼り、のりしろｃ‘をｄ’に貼り、ｅの部分で折りたたむようになっている。
【００２４】  図１４は、補強板の展開図である。
【００２５】  図１５は、天板の展開図である。
【産業上の利用の可能性】
【００２６】  ダンボール製の組立式ベッド
【符号の説明】
【００２３】  ａ    短い仕切りの挿し込み用の溝
ｂ    長い仕切りの挿し込み用の溝
ｃ    のりしろ
ｃ‘  のりしろ
ｄ    貼り先
ｄ‘  貼り先
ｅ    折罫
【図１】
0003204236.tif 000003
【図２】
0003204236.tif 000004
【図３】
0003204236.tif 000005
【図４】
0003204236.tif 000006
【図５】
0003204236.tif 000007
【図６】
0003204236.tif 000008
【図７】
0003204236.tif 000009
【図８】
0003204236.tif 000010
【図９】
0003204236.tif 000011
【図１０】
0003204236.tif 000012
【図１１】
0003204236.tif 000013
【図１２】
0003204236.tif 000014
【図１３】
0003204236.tif 000015
【図１４】
0003204236.tif 000016
【図１５】
0003204236.tif 000017
(57)【要約】      （修正有）【課題】新築工事のため、壁面に傷をつけない様にハシゴのエンドキャップ部分にタオルや軍手を巻きつけるため、平滑面である壁面で作業している場合、横滑りする恐れがあった。こうした危険を防ぐハシゴ用吸着具を提供する。【解決手段】エンドキャップ部分に固定するための複数の孔が側面に設けられた取り付け本体部と、本体部の孔が設けられていない一側面に、回転軸によって、上下動する吸着部が設けられているハシゴ用吸着具。【選択図】図１
0003204231.tif 000002
【実用新案登録請求の範囲】
【請求項１】
エンドキャップ部分に固定するための複数の孔が側面に設けられた取り付け本体部と、本体部の孔が設けられていない一側面に、回転軸によって、上下動する吸着部が設けられているハシゴ用吸着具。
【考案の詳細な説明】
【技術分野】
【０００１】  本考案は、高所作業によるハシゴの横滑り転倒防止事故を防ぐものである。
【背景技術】
【０００２】  新築工事の場合、建物を傷つけないために、壁面に接地するハシゴの端部、エンドキャップ部分に軍手やタオルを巻くことで、壁面に傷をつけない様にしていた。また、梯子本体の長さ方向の端寄りの部分に、他の物体を吸着する角度調節可能なゴム状弾性材料製吸着盤を備えた姿勢保持装置を設けた発明が知られている（特許文献１）。
【先行技術文献】
【特許文献】
【０００３】
【特許文献１】特開平０８−２５４０９０号公報
【考案の概要】
【考案が解決しようとする課題】
【０００４】  新築工事のため、壁面に傷をつけない様にハシゴのエンドキャップ部分にタオルや軍手を巻きつけるため、弊滑面である壁面で作業している場合、横滑りする恐れがあった。
本考案は以上の問題点を解決するものである。
【課題を解決するための手段】
【０００５】  エンドキャップ部分に固定するための複数の孔が側面に設けられた取り付け本体部と、本体部の孔が設けられていない一側面に、回転軸によって、上下動する吸着部が設けられているハシゴ用吸着具。
【考案の効果】
【０００６】  壁面と強固に吸着するため、壁面へのキズ防止、ハシゴが横滑りして転倒することを防ぎ、安全に作業できる。
【図面の簡単な説明】
【０００７】
【図１】  本考案の斜視図
【図２】  本考案の背面図
【図３】  Ａ−Ａ断面図
【図４】  本考案の吸着部の可動した状態を示す側面図
【図５】  本考案を使用した状態を示す斜視図
【考案を実施するための形態】
【０００８】  取り付け部と吸着部からなる吸着具である。ハシゴの端である、エンドキャップ部分に被せて使用する。その為ハシゴを買い替えなくても、既存のハシゴに装着できるものとする。
【０００９】  取り付け部１はコの字の形状からなり、取り付け部１の側面に、固定用の複数の孔３を設ける。なお、図４に示す通り、回転軸４によって、吸着部２は上下にも動く。建物に立て掛けたとき、レバー５を引くことにより、ステー６で連結された、ハウジング９内部に設けられた、ハウジング９の外径よりも大きい吸盤８が引き上げられ、吸盤と壁面が真空状態となり、強固な吸着力が得られ、ハシゴが横倒れする事がない。また、大理石、コンクリート打ちっぱなし、ガラス面などに傷をつける恐れが無い。
【００１０】  図４に示す通り、回転軸によって可動する取り付け部の角度は０度から５０度を可動域としている。これは、ハシゴを立て掛ける角度と同等である。逆に、それ以上角度をつける必要が無い。
【符号の説明】
【００１１】１  取り付け部  ２  吸着部、３  孔、４  回転軸、５  レバー、６  ステー、７  バネ、８  吸着盤、９  ハウジング
【図１】
0003204231.tif 000003
【図２】
0003204231.tif 000004
【図３】
0003204231.tif 000005
【図４】
0003204231.tif 000006
【図５】
0003204231.tif 000007
(57)【要約】      （修正有）【課題】「低温ヤケド」のリスクを軽減することができ、発熱材の代わりに冷却材を使用することができ、冬以外の季節にも対応できるネックウォーマーを提供する。【解決手段】発熱材又は冷却材２を収納するための袋３を本体に封入するためのポケット４を設ける。このようにすることによって、冬だけでなくすべての季節においても低温ヤケドや冷えすぎに悩まされることなく使用できる。【選択図】図２
0003204235.tif 000002
【実用新案登録請求の範囲】
【請求項１】
本体に発熱材及び冷却材を収納するための袋を別途使用し本体に封入ことによって、冬だけでなくすべての季節においても低温ヤケドや冷えすぎに悩まされることなく使用できるネックウォーマー。
【請求項２】
このネックウォーマーの袋は、使用しない時のカバーケースにもなり持ち運びや収納に便利になることを特徴とする請求項１のネックウォーマー
【請求項３】
内側布地と外側布地を縫着してなり、両者が異なる意匠の生地を使用し。表面及び裏面のどちらも使用できる（リバーシブル構造）請求項１又は２記載のネックウォーマー。
【請求項４】
発熱材及び冷却材を収納するための袋を入れるポケットを中央部分だけでなく、左右にも増設し、複数箇所（頚部＋肩）を温めたり冷やしたりすることを特徴とする請求項１〜３のいずれか１項記載のネックウォーマー。
【請求項５】
左端と右端だけでなく、本体の中央部等に別途留め具を取り付けることによって、頚部、や手首、肘、足首、腰にも使用することができる請求項１〜４のいずれか１項記載のネックウォーマー。
【考案の詳細な説明】
【技術分野】
【０００１】この考案は、頚部の保温等に用いるネックウォーマーの形状に関する。
【背景技術】
【０００２】従来用いられているネックウォーマーは、頚部に巻き付けたり、あるいは発熱材をネックウォーマーに封入させることにより、頚部の保温をはかってきた。
【先行技術文献】
【０００３】
【特許文献１】実登３１８８９２５
【特許文献２】実登３１１０１９２
【考案の概要】
【考案が解決しようとする課題】
【０００４】  しかしながら、以上の技術であれば、皮膚に近い状態での使用であり、長時間の使用において「低温ヤケド」のリスクが伴うことも考えられる。
そこで、この考案は、「低温ヤケド」のリスクを軽減することと、この技術を応用することによって、発熱材の代わりに冷却材を使用することができ、冬以外の季節にも対応できるようにすることを課題とする。
【課題を解決しようとするための手段】
【０００５】  以上の問題を解決するために、第一考案は本体に発熱材及び冷却材を収納するための袋を別途使用し本体に封入することができることを特徴とするネックウォーマーである。
また、第二考案は、発熱材・冷却剤等用の袋を、使用しない時のカバーケースになることを特徴とするネックウォーマー。
また、第三考案は、内側布地と外側布地を縫着してなり、両者が異なる意匠の生地を使用、表面及び裏面のどちらも使用できる（リバーシブル構造）ことを特徴とするネックウォーマー。
また、第四考案は、発熱材及び冷却材を収納するための袋を入れるポケットを中央部分だけでなく、左右にも増設することを特徴とするネックウォーマー。
また、第五考案は、左端と右端だけでなく、本体の中央部等に別途留め具を取り付けることを特徴とするネックウォーマーである。
【考案の効果】
【０００６】  第一考案によると、本体に発熱材及び冷却材を収納するための袋を別途使用し本体に封入ことによって、冬だけでなく夏も低温ヤケドや冷えすぎに悩まされることなく快適に使用することができる
第二考案によると、左端と右端だけでなく、本体の中央部等に別途留め具を取り付けることによって、頚部だけでなく、手首等にも使用することができる。
第三考案によると、内側布地と外側布地を縫着してなり、両者が異なる意匠の生地を使用し、表面及び裏面のどちらも使用できる（リバーシブル構造）ことになり、すべての季節の外出時に対応し使用することができる。
第四考案によると、発熱材及び冷却材を収納するための袋を入れるポケットを中央部分だけでなく、左右にも増設し、複数箇所（頚部＋肩など）を温めたり冷やしたりすることができる。
第五考案では、袋は、使用しない時のカバーケースにもなり持ち運びや収納を便利にできる。
【図面の簡単な説明】
【０００７】
【図１】この考案の一実施形態を示す平面図である。
【図２】専用袋の封入を示す平面図である。
【図３】留め具の増設に関する平面図である。
【図４】複数のポケットを示す平面図である
【図５】リバーシブル構造に関する斜視（立体）図である。
【図６】専用袋での保管を示す斜視（立体）図である。
【説明を実施するための形態】
【０００８】  この考案の実施形態を図１に示す。このネックウォーマーの本体１は布製であり、発熱材（ホットパック又は使い捨てカイロ等）又は冷却材（保冷剤等）２を布又はビニール製の袋３及び本体に封入するためのポケット４を示す形態を図２に示す。本体に留め具５の増設を示す形態を図３に示す。本体に複数のポケット３を示す形態を図４に示す。異なる意匠を用いたリバーシブル構造６を図５に示す。布又はビニール製の袋３での本体１の保管に関する形態を図６に示す。
【実施形態の効果】
【０００９】  実施形態によれば、発熱材（ホットパック又は使い捨てカイロ等）又は冷却材（保冷剤等）２を布又はビニール製の袋３を本体１に造設しているポケット４に封入することによって、ネックウォーマーの機能の保温の強化と、夏場のの身体の冷却を図ることができる。
【他の実施形態１】
本体１を布又はビニール製の袋３に封入することによって容易に保管、持ち運びすることができる。
【他の実施形態２】
図１では、布又はビニール製の袋３を入れるポケット４は１か所だが、ポケット４を複数箇所増設することによって、複数箇所（頚部＋肩）の保温、冷却に対応することができる。
【他の実施形態３】
異なる意匠を用いたリバーシブル構造６を用いることによって、すべての季節に対応し使うことができる。
【他の実施形態４】
図１では、頚部の使用を想定しているが、本体１に留め具５を増設することによって、手首、肘、足首、腰など頚部以外にも使用することができる。
【符号の説明】
【００１０】１  ネックウォーマー本体        ２  発熱材又は冷却剤
３  布又はビニール製の袋        ４  ポケット
５  留め具                      ６  リバーシブル構造
【図１】
0003204235.tif 000003
【図２】
0003204235.tif 000004
【図３】
0003204235.tif 000005
【図４】
0003204235.tif 000006
【図５】
0003204235.tif 000007
【図６】
0003204235.tif 000008
(57)【要約】      （修正有）【課題】洗濯物が絡まないようにするためのパルセーターを提供する。【解決手段】洗濯機のパルセーターであって、角錐の形状を有し、３枚の羽が底面から頂点にカーブを描きながら設けられている。【選択図】図１
0003204216.tif 000002
【実用新案登録請求の範囲】
このパルセーターは平面でなく立体的である。
ひとつの項点に対して立体角錐である。
【考案の詳細な説明】
【考案の詳細な説明】
【技術分野】
【０００１】この考案は洗濯時間が短かく洗濯物が絡まる事が少いのが特長である。
【背景技術】
【０００２】従来の洗濯機のパルセーターは平面である。
【考案が解決しようとする課題】
【０００３】一番の特長は洗濯物が絡まる事が少いので洗濯時間が短い
【課題を解決するための手段】
【０００４】本案は３枚の羽根が底面から頂点に対して１２０度ぐらいの角度でゆるやかなカーブを描いている。このパルセーターをモーターの軸にネジで固定する
【０００５】実施例
イ  立体であるため洗濯物が巻きつきもつれる事がない
ロ  緩い角錐の裾はパルセーターの円周迄続く
【考案の効果】
【０００６】角錐の部分は筒型で頂点は洗濯槽よりやや低で中心部は固定位置より下え下げる事ができる。
立体で傾斜角度は１３０度ぐらいの画期的パルセーターである。
【図面の簡単な説明】
【図１】  本考案の正面図
【図２】  本考案の断面図
【符号の説明】
0003204216.tif 000003
【手続補正書】
【提出日】平成27年8月18日(2015.8.18)
【手続補正１】
【補正対象書類名】実用新案登録請求の範囲
【補正対象項目名】全文
【補正方法】変更
【補正の内容】
【実用新案登録請求の範囲】
【請求項１】
このパルセーターは平面でなく立体的である
ひとつの項点に対して立体的である
【手続補正２】
【補正対象書類名】図面
【補正対象項目名】全図
【補正方法】変更
【補正の内容】
【図１】
0003204216.tif 000004
【図２】
0003204216.tif 000005
【手続補正３】
【補正対象書類名】明細書
【補正対象項目名】全文
【補正方法】変更
【補正の内容】
【考案の詳細な説明】
【考案の詳細な説明】
【技術分野】
【技術分野】
【０００１】この考案は洗濯物が絡まる事が少いのが特長である
【背景技術】
【０００２】従来のパルセーターは平面である
【考案が解決しようとする課題】
【０００３】洗濯時間が短い
【課題を解決するための手段】
【０００４】本案は３枚の羽根が底面から頂点に対して１２０度ぐらいの角度でゆるやかなカーブを描いている  このパルセーターをモーターの軸にネジで固定する
【０００５】実施例
緩い角錐の裾はパルセーターの円周迄続く角錐は筒形で頂点は洗濯槽の上部よりやや低めである
【図面の簡単な説明】
【０００６】
【図１】本考案の正面図
【図２】本考案の断面図
【手続補正書】
【提出日】平成27年12月5日(2015.12.5)
【手続補正１】
【補正対象書類名】実用新案登録請求の範囲
【補正対象項目名】全文
【補正方法】変更
【補正の内容】
【実用新案登録請求の範囲】
【請求項１】
このパルセーターは平面でなく立体的である。
【手続補正書】
【提出日】平成28年2月25日(2016.2.25)
【手続補正１】
【補正対象書類名】実用新案登録請求の範囲
【補正対象項目名】全文
【補正方法】変更
【補正の内容】
【実用新案登録請求の範囲】
【請求項１】
洗濯機のパルセーターであつて角錐の形状を有し３枚の羽が底面から頂点にカーブを描きながら設けられている事を特徴とする立体的パルセーター。
(57)【要約】      （修正有）【課題】高齢者及び障がい者等の自立歩行が困難な利用者が、病院や施設等に外出する状況において、移乗機から自家用車等の車の座席もしくは自家用車等の車の座席から移乗機に移乗する際、利用者が座接状態で身体的負担をかけることなく容易にかつ安全に移乗できる移乗用機具を提供する。【解決手段】ベースフレーム１に、衝撃・振動を吸収し車両下へ潜入できるキャスタ２、及び座面部１１を車の座席と同じ高さにレバー５により調節できるダンパー機能を有する柱体ユニット４をそれぞれ固設し、座面部を車の座席と並接するようハンドルフレーム９を柱体ユニットを軸に回動させ最適な位置で固定できるレバーを設ける。【選択図】図１
0003204218.tif 000002
【実用新案登録請求の範囲】
【請求項１】
高齢者及び障がい者など自立歩行が困難な被介助者を病院や施設などへ外出させる際に屋内から自家用自動車等の座席もしくは自家用車等の座席から屋内に移動出来る軽量でコンパクトな移乗機であって、該移乗機は、キャスタを有するベースフレームと、該ベースヘレームと基端部を溶着した柱体ユニットと、該柱体ユニットと並置して該ベースフレームに溶着し該移乗機を停止させるための踏動する突出したレバーを有するストッパー部と、該柱体ユニットを軸に回動し介助者のハンドルを形成すべく折曲し背もたれ部を持設したハンドルフレームと、座面を形成する座面部と、体保持及び背もたれとなる背もたれ部からなり、自家用車等のドアを開けた状態で該自家用車等から該移乗機へ移乗する際に該ベースフレームの前方の一端が該自家用車等車両の下方へ潜入し該自家用車等の座席と該移乗機の座面部が並接できることを特徴とする移乗機。
【請求項２】
被介助者の着座部は、前記ハンドルフレームと、該ハンドルフレームに螺設する前記座面部と前記背もたれ部からなり、該ハンドルフレームが前記柱体ユニットを軸に回動し任意の位置で固定することで、該自家用車等の座席と移乗機の該座面部を並接できる機能を有することを特徴とする請求項１に記載の移乗機。
【請求項３】
前記柱体ユニットは、凸設するレバーと、該レバーを押動して座面を任意に上下動させるダンパー機能を有する柱体部と、座面を固着し柱体部と連動して回動できるよう溶着した円盤状のプレートからなり、該レバーを押動し座面をワンタッチで任意の高さに上下動させることで、自家用車等の座席と移乗機の該座面部を並接できる機能を有することを特徴とする請求項１に記載の移乗機。
【考案の詳細な説明】
【技術分野】
【０００１】  本考案は、軽量、コンパクトにまとめられ、高齢者及び障がい者など自立歩行が困難な被介助者が、病院や施設などへ外出させる際に使用でき、自家用自動車等の座席から容易にかつ安全に移動できる特長を持つ移乗機に関する。
【背景技術】
【０００２】  高齢者及び障がい者など自立歩行が困難な被介助者を病院や施設などへ外出させる際、自家用自動車等の座席と車椅子等の歩行車の座席部分に段差が生じるため、利用者の腰などの身体へ負担がかかっている。しかしながら、現状では、移乗用のボード等を段差に渡し、その上に臀部を移動させ座接状態でスライドさせて移乗するなどしているが、座面に段差があるため、体を支える上肢などに負担がある。この不便さを解消して、高齢者及び障がい者など自立歩行が困難な被介助者が、自家用自動車等の座席への移乗の負担を軽減し、容易にかつ安全に移乗できる移乗機が必要である。【０００３】  この解決策として、高齢者及び障がい者など自立歩行が困難な被介助者が自家用自動車等の座席へ移乗する際、座席と移乗機の座面との段差や隙間を排除できれば、移乗の際の負担を軽減し、容易にかつ安全に移乗できるようになる。
【考案の開示】
【考案が解決しようとする課題】
【０００４】  従来の車椅子等の歩行車では、自家用車等の座席への移動の際に段差や隙間が生じるため、高齢者及び障がい者など自立歩行が困難な被介助者にとって、上肢等への身体的負担が大きく移乗が困難である。【０００５】  本考案は、上記課題を解決すべく考案されたものであり、高齢者及び障がい者など自立歩行が困難な被介助者が、病院や施設等の目的地へ移動する際、自家用車等の座席から身体に負担なく容易にかつ安全に利用できる移乗機を提供することを目的とする。
【課題を解決するための手段】
【０００６】  本考案は、移乗機の座面を自家用車等の座面と同じ高さに並設させることによって、移乗機の座面と自家用車等の座面との段差や隙間が解消され、容易にかつ安全に移乗することが可能となる。
【考案の効果】
【０００７】  本考案は、移乗機の座面と自家用車等の座面との段差や隙間が解消することによって、移乗の際の身体への負担を軽減させ、結果として従来の歩行車及び移乗用のボード等の不便さを解消できるようになるため、高齢者及び障がい者など自立歩行が困難な被介助者によって容易にかつ安全に利用しやすくなる。
【本考案を実施するための最良の形態】
【０００８】  移乗機の座面部を上下動及び回動させることにより、軽自動車からミニバン等の多様な車種に対応でき、移乗機の座面と自家用車等の座面を段差や隙間なく並接させることで自家用車等から容易にかつ安全に移乗できる移乗機を実現した。
【実施例１】
【０００９】  本考案において用いられる移乗機を実施例をあげて図面とともに説明する。【００１０】  図１は本考案の実施例１に係わる正面図である。図２はその立面図。図３はその側面図。図４はその背面図である。１は移乗機のベースフレームで、２はベースフレームに固設したキャスタ、３は補強のため介設する部材、４はダンパー機構により上下動する移乗機の柱体ユニット、５は柱体ユニットのダンパーを上下させるレバー、６は移乗機を停止させるためのストッパー部、７はそのストッパー部に突出したレバー、８は柱体ユニットに溶着したボックス、９は柱体ユニットを軸に背もたれ部を持設したハンドルフレーム、１０はハンドルフレームを任意の位置で固定するレバー、１１は座面部、１２は背もたれ部である。
【産業上の利用可能性】
【００１１】  本考案は、高齢者及び障がい者など自立歩行が困難な被介助者が、病院や施設などへ外出させる際において、自家用自動車等の座席と車椅子等の歩行車の座席部分に段差が生じるため、利用者の腰などの身体へ負担がかかっているため、これら身体的負担を軽減させることを目的に考案したものであり、高齢者及び障がい者など自立歩行が困難な被介助者が、病院や施設などへ外出させる際において、自家用車等の座席から乗り降りする際の移乗機に関するものである。
【図面の簡単な説明】
【００１２】
【図１】  本考案に係わる正面図である。
【図２】  本考案に係わる立面図である。
【図３】  本考案に係わる側面図である。
【図４】  本考案に係わる背面図である。
【符号の説明】    １  ベースフレーム
２  キャスタ
３  部材
４  柱体ユニット
５  レバー
６  ストッパー部
７  レバー
８  ボックス
９  ハンドルフレーム
１０  レバー
１１  座面部
１２  背もたれ部
【図１】
0003204218.tif 000003
【図２】
0003204218.tif 000004
【図３】
0003204218.tif 000005
【図４】
0003204218.tif 000006